(57)【要約】【課題】歩行時に大腿を上げる動作を補助することのできる歩行を補助する運動補助着を提供する。【解決手段】運動補助着１には、ズボン形状のボトム１０と、大腿を上げる動作が行なわれるときに同動作を補助する補助部４０とが設けられている。各補助部４０には、内向部分５０、外向部分６０、背面部分７０が設けられている。また、各補助部４０は、内向始点部分５０Ｘから、部分５０Ａ〜Ｃ、内向終点部分５０Ｙ、背面中間部分７０Ａ、外向終点部分６０Ｙ、部分６０Ｃ〜６０Ａ、および外向始点部分６０Ｘまでを順に通過する１本のベルト形状の部材として構成されている。また、その略全体がボトム１０から独立している。【選択図】図４
2012214936.tif 000002
【特許請求の範囲】
【請求項１】
ボトムとして構成される歩行を補助する運動補助着において、
大腿の動作を補助する補助部が設けられていること、
この補助部が前記ボトムの基礎部に取り付けられていること、
前記補助部に背面部分および正面部分が設けられていること、
前記背面部分が部分Ａと部分Ｃとを互いに接続していること、
前記背面部分が前記Ａと前記部分Ｃとの間において部分Ｂを通過していること、
前記正面部分が部分Ｄと前記部分Ａおよび前記部分Ｃとを互いに接続していること、
前記部分Ａ〜前記部分Ｄがそれぞれ以下の（ａ）〜（ｄ）により規定されること、
（ａ）前記部分Ａは、大腿正面の下部内側に対応する部分
（ｂ）前記部分Ｂは、大腿背面の下部に対応する部分
（ｃ）前記部分Ｃは、大腿正面の下部外側に対応する部分
（ｄ）前記部分Ｄは、大腿正面の付け根よりも上方に対応する部分
ならびに、前記補助部のうちの前記基礎部から独立している部分を独立部分として、前記正面部分の少なくとも一部にこの独立部分が形成されていること
を特徴とする歩行を補助する運動補助着。
【請求項２】
請求項１に記載の歩行を補助する運動補助着において、
前記補助部の緊締力が前記基礎部の緊締力よりも大きいこと
を特徴とする歩行を補助する運動補助着。
【請求項３】
請求項２に記載の歩行を補助する運動補助着において、
前記正面部分に内向部分および外向部分が設けられていること、
前記内向部分が高さ方向において上方から下方に向かうにつれて幅方向において外側から内側に向けて傾斜していること、
前記外向部分が高さ方向において上方から下方に向かうにつれて幅方向において内側から外側に向けて傾斜していること、
前記内向部分において前記部分Ｄに対応する部分を「部分Ｄ１」とし、前記外向部分において前記部分Ｄに対応する部分を「部分Ｄ２」として、前記部分Ｄ１が前記部分Ｄ２よりも大腿正面の外側の部分に対応していること、
前記内向部分が前記部分Ｄ１と前記部分Ａとを互いに接続していること、
前記外向部分が前記部分Ｄ２と前記部分Ｃとを互いに接続していること、
ならびに、前記内向部分と前記外向部分とが互いに交差する交差部分が設けられていること
を特徴とする歩行を補助する運動補助着。
【請求項４】
請求項３に記載の歩行を補助する運動補助着において、
前記補助部のうちの前記基礎部から独立している部分を「独立部分」として、前記交差部分にこの独立部分が形成されていること
を特徴とする歩行を補助する運動補助着。
【請求項５】
請求項３または４に記載の歩行を補助する運動補助着において、
前記補助部のうちの前記基礎部から独立している部分を「独立部分」として、前記内向部分の少なくとも一部にこの独立部分が形成されていること
を特徴とする歩行を補助する運動補助着。
【請求項６】
請求項３〜５のいずれか一項に記載の歩行を補助する運動補助着において、
前記補助部のうちの前記基礎部から独立している部分を「独立部分」として、前記外向部分の少なくとも一部にこの独立部分が形成されていること
を特徴とする歩行を補助する運動補助着。
【請求項７】
請求項３〜６のいずれか一項に記載の歩行を補助する運動補助着において、
大腿正面の付け根または付け根付近に対応する部分に前記交差部分が設けられていること
を特徴とする歩行を補助する運動補助着。
【請求項８】
請求項３〜７のいずれか一項に記載の歩行を補助する運動補助着において、
右半身または左半身の幅方向の中間に対応する部分に前記交差部分が設けられていること
を特徴とする歩行を補助する運動補助着。
【請求項９】
請求項３〜８のいずれか一項に記載の歩行を補助する運動補助着において、
前記交差部分において前記内向部分と前記外向部分とが互いに接続されていること
を特徴とする歩行を補助する運動補助着。
【請求項１０】
請求項３〜９のいずれか一項に記載の歩行を補助する運動補助着において、
前記基礎部において下半身の表面に沿う前記部分Ｄ１から前記部分Ａまでの長さを「第１基準長さ」とし、前記内向部分の前記部分Ｄ１から前記部分Ａまでの長さを「内向長さ」とし、前記基礎部において下半身の表面に沿う前記部分Ｄ２から前記部分Ｃまでの長さを「第２基準長さ」とし、前記外向部分の前記部分Ｄ２から前記部分Ｃまでの長さを「外向長さ」として、以下の（ａ）および（ｂ）の少なくとも一方の条件が満たされること
（ａ）「前記内向長さが前記第１基準長さよりも小さい」
（ｂ）「前記外向長さが前記第２基準長さよりも小さい」
を特徴とする歩行を補助する運動補助着。
【請求項１１】
請求項１または２に記載の歩行を補助する運動補助着において、
前記正面部分に共通部分、第１分岐部分、および第２分岐部分が設けられていること、
大腿正面の付け根よりも下方に対応する部分を「部分Ｅ」として、前記共通部分が前記部分Ｄと前記部分Ｅとを互いに接続していること、
前記第１分岐部分が前記部分Ｅと前記部分Ａとを互いに接続していること、
前記第２分岐部分が前記部分Ｅと前記部分Ｃとを互いに接続していること、
ならびに、高さ方向において前記部分Ｅが前記部分Ａ、前記部分Ｂ、および前記部分Ｃよりも上方に位置していること
を特徴とする歩行を補助する運動補助着。
【請求項１２】
請求項１１に記載の歩行を補助する運動補助着において、
前記基礎部において下半身の表面に沿う前記部分Ｅから前記部分Ａまでの長さを「第１基準長さ」とし、前記第１分岐部分の前記部分Ｅから前記部分Ａまでの長さを「第１分岐長さ」とし、前記基礎部において下半身の表面に沿う前記部分Ｅから前記部分Ｃまでの長さを「第２基準長さ」とし、前記第２分岐部分の前記部分Ｅから前記部分Ｃまでの長さを「第２分岐長さ」とし、前記基礎部において下半身の表面に沿う前記部分Ｄから前記部分Ｅまでの長さを「第３基準長さ」とし、前記共通部分の前記部分Ｄから前記部分Ｅまでの長さを「共通長さ」として、以下の（ａ）〜（ｃ）の少なくとも１つの条件が満たされること
（ａ）「前記第１分岐長さが前記第１基準長さよりも小さい」
（ｂ）「前記第２分岐長さが前記第２基準長さよりも小さい」
（ｃ）「前記共通長さが前記第３基準長さよりも小さい」
を特徴とする歩行を補助する運動補助着。
【請求項１３】
請求項１〜１２のいずれか一項に記載の歩行を補助する運動補助着において、
大腿に付与される外転方向への力と内転方向への力との差が所定範囲内に収められるように前記補助部が構成されていること
を特徴とする歩行を補助する運動補助着。
【請求項１４】
請求項１〜１３のいずれか一項に記載の歩行を補助する運動補助着において、
前記背面部分が前記基礎部に接続されていること
を特徴とする歩行を補助する運動補助着。
【請求項１５】
請求項１〜１４のいずれか一項に記載の歩行を補助する運動補助着において、
前記部分Ｂが膝の上部付近の部分に対応していること
を特徴とする歩行を補助する運動補助着。
【発明の詳細な説明】
【技術分野】
【０００１】
本発明は、歩行を補助する運動補助着に関する。
【背景技術】
【０００２】
特許文献１には、緊締力の強い生地を股関節の回りに配置することにより、股関節の動きに関連する筋肉に負荷を与えるボトムが記載されている。使用者は、この負荷に抗して脚を動かすことにより、股関節の動きに関連する筋肉を鍛錬することができる。
【先行技術文献】
【特許文献】
【０００３】
【特許文献１】特開２００２−２１２８１４号公報
【発明の概要】
【発明が解決しようとする課題】
【０００４】
ところで、足腰の筋肉（例えば、大腰筋および大腿四頭筋）は加齢により次第に衰える。そして、足腰の筋肉が衰えたときには、歩行時に大腿を上げることが難しくなる。この場合、歩行すること自体が負担となり、これにより歩行の頻度が低下して足腰の筋肉がさらに衰えるおそれがある。
【０００５】
一方、特許文献１のボトムのように、股関節の動きに関連する筋肉を鍛えるボトムは、足腰の筋肉が衰えていない使用者の使用には適しているものの、足腰の筋肉が衰えた使用者の歩行を補助するものとはならない。すなわち、ボトムから脚に付与される負荷により大腿を上げる動作が妨げられるため、足腰の筋力が衰えた使用者においては上記ボトムを着用することにより歩行が一層困難になると考えられる。
【０００６】
本発明は上記課題を解決するためになされたものであり、その目的は、大腿を上げる動作を補助することのできる歩行を補助する運動補助着を提供することにある。
【課題を解決するための手段】
【０００７】
上記目的を達成するための手段を以下に記載する。
（１）請求項１に記載の発明は、ボトムとして構成される歩行を補助する運動補助着において、大腿の動作を補助する補助部が設けられていること、この補助部が前記ボトムの基礎部に取り付けられていること、前記補助部に背面部分および正面部分が設けられていること、前記背面部分が部分Ａと部分Ｃとを互いに接続していること、前記背面部分が前記Ａと前記部分Ｃとの間において部分Ｂを通過していること、前記正面部分が部分Ｄと前記部分Ａおよび前記部分Ｃとを互いに接続していること、前記部分Ａ〜前記部分Ｄがそれぞれ以下の（ａ）〜（ｄ）により規定されること、
（ａ）前記部分Ａは、大腿正面の下部内側に対応する部分
（ｂ）前記部分Ｂは、大腿背面の下部に対応する部分
（ｃ）前記部分Ｃは、大腿正面の下部外側に対応する部分
（ｄ）前記部分Ｄは、大腿正面の付け根よりも上方に対応する部分
ならびに、前記補助部のうちの前記基礎部から独立している部分を独立部分として、前記正面部分の少なくとも一部にこの独立部分が形成されていることを要旨としている。
【０００８】
上記発明によれば、大腿を上げる動作が行なわれるとき、大腿を上げる方向の動作が補助部により補助されるため、大腰筋および大腿四頭筋の負荷が軽減される。このため、大腿を上げる動作を容易に行なうことができる。
【０００９】
（２）請求項２に記載の発明は、請求項１に記載の歩行を補助する運動補助着において、前記補助部の緊締力が前記基礎部の緊締力よりも大きいことを要旨としている。
（３）請求項３に記載の発明は、請求項２に記載の歩行を補助する運動補助着において、前記正面部分に内向部分および外向部分が設けられていること、前記内向部分が高さ方向において上方から下方に向かうにつれて幅方向において外側から内側に向けて傾斜していること、前記外向部分が高さ方向において上方から下方に向かうにつれて幅方向において内側から外側に向けて傾斜していること、前記内向部分において前記部分Ｄに対応する部分を「部分Ｄ１」とし、前記外向部分において前記部分Ｄに対応する部分を「部分Ｄ２」として、前記部分Ｄ１が前記部分Ｄ２よりも大腿正面の外側の部分に対応していること、前記内向部分が前記部分Ｄ１と前記部分Ａとを互いに接続していること、前記外向部分が前記部分Ｄ２と前記部分Ｃとを互いに接続していること、ならびに、前記内向部分と前記外向部分とが互いに交差する交差部分が設けられていることを要旨としている。
【００１０】
上記発明によれば、大腿を上げる動作が行なわれるとき、大腿を上げる方向の動作が補助部の内向部分の張力および外向部分の張力により補助されるため、大腰筋および大腿四頭筋の負荷が軽減される。このため、大腿を上げる動作を容易に行なうことができる。なお、交差部分の構成には、複数枚の生地が互いに重ね合わせられた構成、および１枚の生地が内向部分および外向部分に共通して用いられる構成が含まれる。
【００１１】
（４）請求項４に記載の発明は、請求項３に記載の歩行を補助する運動補助着において、前記補助部のうちの前記基礎部から独立している部分を「独立部分」として、前記交差部分にこの独立部分が形成されていることを要旨としている。
【００１２】
大腿正面の付け根に対応する部分に交差部分が設けられる運動補助着においては、脚が前方かつ上方に向けて動かされるとき、大腿正面の付け根に交差部分が押し付けられるため、股関節の屈曲運動が阻害される。上記発明によれば、脚が前方かつ上方に向けて動かされるとき、交差部分が大腿正面の付け根から離れるため、交差部分により股関節の屈曲運動が阻害されることが抑制される。
【００１３】
（５）請求項５に記載の発明は、請求項３または４に記載の歩行を補助する運動補助着において、前記補助部のうちの前記基礎部から独立している部分を「独立部分」として、前記内向部分の少なくとも一部にこの独立部分が形成されていることを要旨としている。
【００１４】
上記発明によれば、内向部分に生じる張力が基礎部に分散することが抑制されるため、内向部分に独立部分が形成されていない構成と比較して、大腿を上げる方向の動作を補助する力が大きくなる。
【００１５】
（６）請求項６に記載の発明は、請求項３〜５のいずれか一項に記載の歩行を補助する運動補助着において、前記補助部のうちの前記基礎部から独立している部分を「独立部分」として、前記外向部分の少なくとも一部にこの独立部分が形成されていることを要旨としている。
【００１６】
上記発明によれば、外向部分に生じる張力が基礎部に分散することが抑制されるため、外向部分に独立部分が形成されていない構成と比較して、大腿を上げる方向の動作を補助する力が大きくなる。
【００１７】
（７）請求項７に記載の発明は、請求項３〜６のいずれか一項に記載の歩行を補助する運動補助着において、大腿正面の付け根または付け根付近に対応する部分に前記交差部分が設けられていることを要旨としている。
【００１８】
上記発明によれば、交差部分が付け根から遠い部分に設けられる構成と比較して、背面部分を上方かつ前方に引き上げる力が大きくなるため、大腿を上げる方向の動作を補助する力が大きくなる。
【００１９】
（８）請求項７に記載の発明は、請求項３〜７のいずれか一項に記載の歩行を補助する運動補助着において、右半身または左半身の幅方向の中間に対応する部分に前記交差部分が設けられていることを要旨としている。
【００２０】
上記発明によれば、大腿に対して上方かつ外側に向けて作用する内向部分の張力と、大腿に対して上方かつ内側に向けて作用する外向部分の張力との間に大きな差が生じることが抑制されるため、歩行時に大腿が内側または外側に振れにくくなる。
【００２１】
（９）請求項９に記載の発明は、請求項３〜８のいずれか一項に記載の歩行を補助する運動補助着において、前記交差部分において前記内向部分と前記外向部分とが互いに接続されていることを要旨としている。
【００２２】
上記発明によれば、交差部分において内向部分と外向部分とが互いに接続されていることにより、内向部分と外向部分との相対的な位置が大きくずれることが抑制されるため、大腿を上げる方向の動作を補助する効果が安定して得られる。
【００２３】
（１０）請求項１０に記載の発明は、請求項３〜９のいずれか一項に記載の歩行を補助する運動補助着において、前記基礎部において下半身の表面に沿う前記部分Ｄ１から前記部分Ａまでの長さを「第１基準長さ」とし、前記内向部分の前記部分Ｄ１から前記部分Ａまでの長さを「内向長さ」とし、前記基礎部において下半身の表面に沿う前記部分Ｄ２から前記部分Ｃまでの長さを「第２基準長さ」とし、前記外向部分の前記部分Ｄ２から前記部分Ｃまでの長さを「外向長さ」として、次の（ａ）および（ｂ）の少なくとも一方の条件、すなわち（ａ）「前記内向長さが前記第１基準長さよりも小さい」および（ｂ）「前記外向長さが前記第２基準長さよりも小さい」の少なくとも一方の条件が満たされることを要旨としている。
【００２４】
上記発明によれば、内向長さが第１基準長さよりも小さいとき、着用者が運動補助着を着用することにともない内向部分が基礎部よりも伸長する。また、外向長さが第２基準長さよりも小さいとき、着用者が運動補助着を着用することにともない外向部分が基礎部よりも伸長する。このため、補助部に生じる張力がより大きくなる。
【００２５】
（１１）請求項１１に記載の発明は、請求項１または２に記載の歩行を補助する運動補助着において、前記正面部分に共通部分、第１分岐部分、および第２分岐部分が設けられていること、大腿正面の付け根よりも下方に対応する部分を「部分Ｅ」として、前記共通部分が前記部分Ｄと前記部分Ｅとを互いに接続していること、前記第１分岐部分が前記部分Ｅと前記部分Ａとを互いに接続していること、前記第２分岐部分が前記部分Ｅと前記部分Ｃとを互いに接続していること、ならびに、高さ方向において前記部分Ｅが前記部分Ａ、前記部分Ｂ、および前記部分Ｃよりも上方に位置していることを要旨としている。
【００２６】
上記発明によれば、大腿を上げる動作が行なわれるとき、大腿を上げる方向の動作が補助部の共通部分の張力、第１分岐部分の張力、および第２分岐部分の張力により補助されるため、大腰筋および大腿四頭筋の負荷が軽減される。このため、大腿を上げる動作を容易に行なうことができる。なお、分岐部分の構成には、複数枚の生地が互いに重ね合わせられた構成、および１枚の生地が共通部分、第１分岐部分、および第２分岐部分の少なくとも２箇所に共通して用いられる構成が含まれる。
【００２７】
（１２）請求項１２に記載の発明は、請求項１１に記載の歩行を補助する運動補助着において、前記基礎部において下半身の表面に沿う前記部分Ｅから前記部分Ａまでの長さを「第１基準長さ」とし、前記第１分岐部分の前記部分Ｅから前記部分Ａまでの長さを「第１分岐長さ」とし、前記基礎部において下半身の表面に沿う前記部分Ｅから前記部分Ｃまでの長さを「第２基準長さ」とし、前記第２分岐部分の前記部分Ｅから前記部分Ｃまでの長さを「第２分岐長さ」とし、前記基礎部において下半身の表面に沿う前記部分Ｄから前記部分Ｅまでの長さを「第３基準長さ」とし、前記共通部分の前記部分Ｄから前記部分Ｅまでの長さを「共通長さ」として、次の（ａ）〜（ｂ）の少なくとも１つの条件、すなわち（ａ）「前記第１分岐長さが前記第１基準長さよりも小さい」、および（ｂ）「前記第２分岐長さが前記第２基準長さよりも小さい」、および（ｃ）「前記共通長さが前記第３基準長さよりも小さい」の少なくとも１つの条件が満たされることを要旨としている。
【００２８】
上記発明によれば、第１分岐長さが第１基準長さよりも小さいとき、着用者が運動補助着を着用することにともない第１分岐部分が基礎部よりも伸長する。また、第２分岐長さが第２基準長さよりも小さいとき、着用者が運動補助着を着用することにともない第２分岐部分が基礎部よりも伸長する。また、共通長さが第３基準長さよりも小さいとき、着用者が運動補助着を着用することにともない共通部分が基礎部よりも伸長する。このため、補助部に生じる張力がより大きくなる。
【００２９】
（１３）請求項１３に記載の発明は、請求項１〜１２のいずれか一項に記載の歩行を補助する運動補助着において、大腿に付与される外転方向への力と内転方向への力との差が所定範囲内に収められるように前記補助部が構成されていることを要旨としている。
【００３０】
上記発明によれば、着用者が運動補助着を着用したときに大腿に付与される外転方向の力と大腿に付与される内転方向の力との差が過度に大きくなることが抑制されるため、歩行時に大腿が内側または外側に振れにくくなる。
【００３１】
（１４）請求項１４に記載の発明は、請求項１〜１３のいずれか一項に記載の歩行を補助する運動補助着において、前記背面部分が前記基礎部に接続されていることを要旨としている。
【００３２】
上記発明によれば、背面部分が基礎部から独立している構成とは異なり、背面部分が基礎部からずれることに起因して、大腿を上げる方向の動作を補助する力が小さくなることが抑制される。
【００３３】
（１５）請求項１５に記載の発明は、請求項１〜１４のいずれか一項に記載の歩行を補助する運動補助着において、前記部分Ｂが膝の上部付近の部分に対応していることを要旨としている。
【００３４】
上記発明によれば、大腿を上げる動作が行なわれるとき、膝の上部付近が部分Ｂにより引き上げられるため、部分Ｂが膝の上部付近よりもさらの上方の部分に対応している構成と比較して、大腿を上げる方向の動作を補助する効果が高くなる。
【発明の効果】
【００３５】
本発明によれば、大腿を上げる動作を補助することのできる歩行を補助する運動補助着を提供することができる。
【図面の簡単な説明】
【００３６】
【図１】本発明の第１実施形態の歩行を補助する運動補助着について、その正面構造を示す正面図。
【図２】同実施形態の運動補助着について、その背面構造を示す背面図。
【図３】同実施形態の運動補助着について、その分解斜視構造を示す分解斜視図。
【図４】同実施形態の運動補助着について、腹当部の表側の生地が省略された状態の正面構造を示す正面図。
【図５】同実施形態の運動補助着について、その機能を模式的に示す作用図。
【図６】本発明の第２実施形態の歩行を補助する運動補助着について、その正面構造を示す正面図。
【発明を実施するための形態】
【００３７】
（第１実施形態）
本実施形態では、人体に密着する運動補助着として本発明の「歩行を補助する運動補助着」を具体化した一例を示している。なお、図１、図２、および図４においては、生地の裏側に設けられた別の生地を破線で示している。また、図１、図２、図４、および図５においては、ユーザに着用された状態の運動補助着１を示している。
【００３８】
ここで、身体の部位について以下のように用語を定義する。
・「前方」は、身体の背面から正面に向かう方向を示す。
・「後方」は、身体の正面から背面に向かう方向を示す。
・「上方」は、足から頭に向かう方向を示す。
・「下方」は、頭から足に向かう方向を示す。
・「左方」は、使用者からみて右半身から左半身に向かう方向を示す。
・「右方」は、使用者からみて左半身から右半身に向かう方向を示す。
・「奥行き方向」は、前方および後方に沿う方向を示す。
・「高さ方向」は、上方および下方に沿う方向を示す。
・「幅方向」は、右方および左方に沿う方向を示す。
・「内側」は、幅方向においての身体の中心側を示す。
・「外側」は、幅方向においての身体の中心側とは反対側を示す。
・「下腹部」は、腹部のうちのウエストよりも下方の部分を示す。
・「臀部」は、体幹の背面においての骨盤およびその付近の部分を示す。
・「膝」は、下肢においての膝関節およびその付近の部分を示す。
・「大腿」は、下肢においての膝関節よりも上方の部分を示す。
・「下腿」は、下肢においての膝関節よりも下方の部分を示す。
・「内股」は、大腿の内側の側面の部分を示す。
・「外股」は、大腿の外側の側面の部分を示す。
【００３９】
図１〜図３を参照して、運動補助着１の構成について説明する。なお、後述する図３に基づく生地の種類の説明までの部分において、参照する図面を明記していない文章は、図１に示される構成についての説明を記述しているものとする。
【００４０】
運動補助着１には、ズボン形状のボトム１０と、右大腿を上げる動作が行なわれるときに同動作を補助する右側の補助部４０と、左大腿を上げる動作が行なわれるときに同動作を補助する左側の補助部４０とが設けられている。各補助部４０は、図１に示されるボトム１０の正面側に対応する部分、および図２に示されるボトム１０の背面側に対応する部分を含めて構成されている。
【００４１】
ボトム１０には、右大腿および左大腿を覆いボトム１０の主要な部分を構成する基礎部２０と、基礎部２０の表側に縫い付けられて下腹部を覆う腹当部３０と、基礎部２０の上縁に縫い付けられてウエストを覆うウエスト部１１と、基礎部２０において股間に対応する部分に縫い付けられて股間を覆う股布１２とが設けられている。
【００４２】
基礎部２０には、図１に示される腰および大腿の正面を覆う正面部２１と、図２に示される臀部および大腿の背面を覆う背面部２２とが設けられている。正面部２１および背面部２２は、それぞれ身体の中心に対して左右対称の形状を有する２枚の生地が互いに縫い合わせられることにより構成されている。
【００４３】
図３に示されるように、腹当部３０には、互いに重ね合わせられた同一形状の２枚の生地が設けられている。また、腹当部３０の表側の生地と裏側の生地との間には、補助部４０を構成する外向部分６０の一部分が設けられている。
【００４４】
各補助部４０には、図１に示される大腿の正面に対応する部分おいて、上方から下方に向かうにつれて外側から内側に向けて傾斜する内向部分５０が設けられている。また、図１に示される大腿の正面に対応する部分において、上方から下方に向かうにつれて内側から外側に傾斜する外向部分６０が設けられている。また、図２に示される大腿の背面に対応する部分において、膝裏の上付近の部分を外股から内股までにわたりまたぐ背面部分７０が設けられている。
【００４５】
内向部分５０と外向部分６０とは、大腿の正面に対応する部分において互いに重ね合わせられている。内向部分５０および外向部分６０が重ね合わせられた部分（以下、「交差部分４１」）は、右半身または左半身の幅方向の中間かつ大腿正面の付け根の部分に対応して設けられている。
【００４６】
補助部４０は、内向部分５０、背面部分７０、および外向部分６０が順につなぎ合わせられた１本のベルト形状の部分として構成されている。また、右側の補助部４０と左側の補助部４０とは互いに独立して構成されている。
【００４７】
図３を参照して、運動補助着１を構成する各部分の生地の種類について説明する。
運動補助着１は、緊締力の強さが互いに異なる３種類の生地により構成されている。すなわち、緊締力が大きい強緊締力生地、緊締力が小さい弱緊締力生地、および緊締力が大きくかつ伸縮性の小さいパワー生地により構成されている。
【００４８】
基礎部２０の各部分すなわち、正面部２１および背面部２２、ならびに腹当部３０の表側の生地は、弱緊締力生地により構成されている。弱緊締力生地としては、一般の肌着に用いられる生地と同程度の伸縮性を有するものが用いられている。
【００４９】
補助部４０の各部分すなわち、内向部分５０、外向部分６０、および背面部分７０は、強緊締力生地により構成されている。強緊締力生地としては、展開された状態において長手方向の伸縮性よりも短手方向の伸縮性が小さい帯状の生地が用いられている。
【００５０】
腹当部３０の裏側の生地は、パワー生地により構成されている。パワー生地としては、強緊締力生地と同程度の緊締力を有し、かつ強緊締力生地よりも伸縮性が小さい生地が用いられている。
【００５１】
運動補助着１の基礎部２０、腹当部３０、および補助部４０以外の各部分は、それぞれ次のように構成されている。すなわち、ウエスト部１１は平ゴムにより構成されている。また、股布１２は弱緊締力生地により構成されている。
【００５２】
図１〜図３を参照して、運動補助着１の各部分の縁の種類について説明する。
図３の基礎部２０の縁について次のように定義する。
（ａ）基礎部２０の上部の縁を「上側縁２３」とする。
（ｂ）正面部２１と背面部２２との内側下部の境界を「内側縁２４」とする。
（ｃ）正面部２１と背面部２２との外側の境界を「外側縁２５」とする。
（ｄ）上側縁２３と内側縁２４とをつなぐ内側上部の縁を「中間縁２６」とする。
【００５３】
内側縁２４には、正面部２１の内側の縁および背面部２２の内側の縁が含まれるものとする。また、外側縁２５には、正面部２１の内側の縁および背面部２２の外側の縁が含まれるものとする。
【００５４】
図１の腹当部３０の縁について次のように定義する。
（ａ）腹当部３０の上部の縁を「上側縁３１」とする。
（ｂ）腹当部３０の下部の縁を「下側縁３２」とする。
（ｃ）上側縁３１と下側縁３２とをつなぐ各縁を「外縦縁３３」とする。
（ｄ）各外縦縁３３のうち外向部分６０に対応する部分を「中間縁３４」とする。
【００５５】
図１の内向部分５０の縁について次のように定義する。
（ａ）内向部分５０の上部の縁を「上側縁５１」とする。
（ｂ）内向部分５０の下部の縁を「下側縁５２」とする。
（ｃ）上側縁５１と下側縁５２とをつなぐ内側の縁を「内縦縁５３」とする。
（ｄ）上側縁５１と下側縁５２とをつなぐ外側の縁を「外縦縁５４」とする。
（ｅ）各縦縁５３，５４のうちの外向部分６０と対応する部分を「交差縁５５」とする。
【００５６】
図１の外向部分６０の縁について次のように定義する。
（ａ）外向部分６０の上部の縁を「上側縁６１」とする。
（ｂ）外向部分６０の下部の縁を「下側縁６２」とする。
（ｃ）上側縁６１と下側縁６２とをつなぐ内側の縁を「内縦縁６３」とする。
（ｄ）上側縁６１と下側縁６２とをつなぐ外側の縁を「外縦縁６４」とする。
（ｅ）各縦縁６３，６４のうちの内向部分５０と対応する部分を「交差縁６５」とする。
【００５７】
図２の背面部分７０の縁について次のように定義する。
（ａ）背面部分７０の上部の縁を「上側縁７１」とする。
（ｂ）背面部分７０の下部の縁を「下側縁７２」とする。
（ｃ）上側縁７１と下側縁７２とをつなぐ内側の縁を「内縦縁７３」とする。
（ｄ）上側縁７１と下側縁７２とをつなぐ外側の縁を「外縦縁７４」とする。
【００５８】
図１〜図３を参照して、運動補助着１の各部分の縫い合わせについて説明する。
図１の腹当部３０の各縁は次のように各部分に縫い付けられている。
（ａ）上側縁３１は、ウエスト部１１に縫い付けられている。
（ｂ）下側縁３２は、股布１２に縫い付けられている。
（ｃ）外縦縁３３は、基礎部２０の中間縁２６に縫い付けられている。
【００５９】
運動補助着１においては、外縦縁３３の全体が正面部２１に縫い付けられている。また、補助部４０の外向部分６０が腹当部３０の表側の生地と裏側の生地との間に設けられている（図３）。このため、外向部分６０において外縦縁３３と重なり合う部分（以下、「縫付部分６６」）の全体が外縦縁３３とともに基礎部２０の正面部２１に縫い付けられている。
【００６０】
図１の内向部分５０の各縁は次のように各部分に縫い付けられている。
（ａ）上側縁５１は、基礎部２０の外側縁２５に縫い付けられている。
（ｂ）下側縁５２は、基礎部２０の内側縁２４に縫い付けられている。
（ｃ）下側縁５２は、背面部分７０の内縦縁７３に縫い付けられている。
（ｄ）内縦縁５３の交差縁５５は、外向部分６０に縫い付けられている。
（ｅ）外縦縁５４の交差縁５５は、外向部分６０に縫い付けられている。
（ｆ）内縦縁５３は、基礎部２０から独立している。
（ｇ）外縦縁５４は、基礎部２０から独立している。
【００６１】
内向部分５０においては、上側縁５１、下側縁５２、内縦縁５３、および外縦縁５４により囲まれる部分が基礎部２０に縫い付けられていない。すなわち、同部分が基礎部２０から独立している。
【００６２】
図１の外向部分６０の各縁は次のように各部分に縫い付けられている。
（ａ）上側縁６１は、腹当部３０の上側縁３１に縫い付けられている。
（ｂ）上側縁６１は、ウエスト部１１に縫い付けられている。
（ｃ）下側縁６２は、基礎部２０の外側縁２５に縫い付けられている。
（ｄ）下側縁６２は、背面部分７０の外縦縁７４に縫い付けられている。
（ｅ）内縦縁６３の交差縁６５は、内向部分５０に縫い付けられている。
（ｆ）外縦縁６４の交差縁６５は、内向部分５０に縫い付けられている。
（ｇ）縫付部分６６を除く内縦縁６３は、基礎部２０から独立している。
（ｈ）縫付部分６６を除く外縦縁６４は、基礎部２０から独立している。
【００６３】
外向部分６０においては、上側縁６１、下側縁６２、内縦縁６３、および外縦縁６４により囲まれる部分のうちの縫付部分６６を除く部分が基礎部２０に縫い付けられていない。すなわち、同部分が基礎部２０から独立している。
【００６４】
図２の背面部分７０の各縁は次のように各部分に縫い付けられている。
（ａ）上側縁７１は、基礎部２０に縫い付けられている。
（ｂ）下側縁７２は、基礎部２０に縫い付けられている。
（ｃ）内縦縁７３は、基礎部２０の内側縁２４に縫い付けられている。
（ｄ）外縦縁７４は、基礎部２０の外側縁２５に縫い付けられている。
【００６５】
図４を参照して、補助部４０と身体の部位との対応について説明する。なお、同図においては、腹当部３０の表側の生地を省略した状態の運動補助着１を示している。また、一点鎖線は大腿の付け根に対応する部分を示している。
【００６６】
補助部４０は、内向始点部分５０Ｘ、内向終点部分５０Ｙ、内向第１部分５０Ａ、内向第２部分５０Ｂ、内向第３部分５０Ｃ、外向始点部分６０Ｘ、外向終点部分６０Ｙ、外向第１部分６０Ａ、外向第２部分６０Ｂ、外向第３部分６０Ｃ、および背面中間部分７０Ａに対応して設けられている。
【００６７】
上記各部分の内容を以下に示す。
・内向始点部分５０Ｘは、下腹部の側面と対応する部分を示す。
・内向終点部分５０Ｙは、大腿下部の内側面と対応する部分を示す。
・内向第１部分５０Ａは、大腿正面の付け根よりも上方の部分と対応する部分を示す。
・内向第２部分５０Ｂは、大腿正面の付け根と対応する部分を示す。
・内向第３部分５０Ｃは、大腿正面の内側の部分かつ大腿下部と対応する部分を示す。
・外向始点部分６０Ｘは、下腹部の上部と対応する部分を示す。
・外向終点部分６０Ｙは、大腿下部の外側面と対応する部分を示す。
・外向第１部分６０Ａは、大腿正面の付け根よりも上方の部分と対応する部分を示す。
・外向第２部分６０Ｂは、大腿正面の付け根と対応する部分を示す。
・外向第３部分６０Ｃは、大腿正面の外側の部分かつ大腿下部と対応する部分を示す。
・背面中間部分７０Ａは、大腿背面かつ大腿下部に対応する部分を示す。
【００６８】
内向第１部分６０Ａおよび外向第１部分６０Ａの相互の関係について、外向第１部分６０Ａは、内向第１部分５０Ａよりも内側に位置している。内向第２部分５０Ｂおよび外向第２部分６０Ｂの相互の関係について、外向第２部分６０Ｂは、内向第２部分５０Ｂよりも内側に位置している。
【００６９】
内向第３部分５０Ｃは、内向部分５０の下側縁５２と背面部分７０の内縦縁７３との境界部分に対応している。また、外向第３部分６０Ｃは、外向部分６０の下側縁６２と背面部分７０の外縦縁７４との境界部分に対応している。
【００７０】
補助部４０は次のように上記各部分に対応している。
内向部分５０は、内向始点部分５０Ｘから内向終点部分５０Ｙまでにわたり、かつ内向第１部分５０Ａ、内向第２部分５０Ｂ、および内向第３部分５０Ｃを順に通過して設けられている。
【００７１】
外向部分６０は、外向始点部分６０Ｘから外向終点部分６０Ｙまでにわたり、かつ外向第１部分６０Ａ、外向第２部分６０Ｂ、および外向第３部分６０Ｃを順に通過して設けられている。
【００７２】
背面部分７０は、内向終点部分５０Ｙから外向終点部分６０Ｙまでにわたり、かつ背面中間部分７０Ａを通過して設けられている。背面中間部分７０Ａの高さ方向の中心は、内向終点部分５０Ｙの高さ方向の中心、および外向終点部分６０Ｙの高さ方向の中心よりも下方に位置している。
【００７３】
以上のように補助部４０は、内向始点部分５０Ｘから外向始点部分６０Ｘまでにわたり、かつこれら部分の間において、内向第１部分５０Ａ、内向第２部分５０Ｂ、内向第３部分５０Ｃ、背面中間部分７０Ａ、外向第３部分６０Ｃ、外向第２部分６０Ｂ、および外向第１部分６０Ａを順に通過する１本のベルト形状の部材として構成されている。
【００７４】
なお、内向第１部分５０Ａは「部分Ｄ」および「部分Ｄ１」に相当する。また、外向第１部分６０Ａは「部分Ｄ」および「部分Ｄ２」に相当する。また、内向終点部分５０Ｙは「部分Ａ」に相当する。また、外向終点部分６０Ｙは「部分Ｃ」に相当する。また、背面中間部分７０Ａは「部分Ｂ」に相当する。また、内向部分５０および外向部分６０は「正面部分」に相当する。また、背面部分７０は「背面部分」に相当する。
【００７５】
運動補助着１の各部の長さについて説明する。
ここで、運動補助着１の各部分の長さを次のように定義する。
（ａ）内向部分５０の内向始点部分５０Ｘから内向終点部分５０Ｙまでの長さを「内向全体長さＬＭ１」とする。
（ｂ）内向部分５０の内向始点部分５０Ｘから外向部分６０の上側の交差縁６５までの長さを「内向上部長さＬＭ２」とする。
（ｃ）外向部分６０の外向始点部分６０Ｘから外向終点部分６０Ｙまでの長さを「外向全体長さＬＮ１」とする。
（ｄ）外向部分６０の外向始点部分６０Ｘから内向部分５０の上側の交差縁５５までの長さを「外向上部長さＬＮ２」とする。
（ｅ）ボトム１０において内向始点部分５０Ｘから内向終点部分５０Ｙまでに対応する部分の長さを「第１基準長さＬＭＸ」とする。
（ｆ）ボトム１０において外向始点部分６０Ｘから外向終点部分６０Ｙまでに対応する部分の長さを「第２基準長さＬＮＸ」とする。
【００７６】
内向部分５０は、着用者が運動補助着１を着用していない状態、すなわち内向部分５０およびボトム１０が着用者の身体に合わせて伸長していない状態において、内向全体長さＬＭ１が第１基準長さＬＭＸよりも短くなるように構成されている。一方、着用者が運動補助着１を着用している状態においては、内向部分５０およびボトム１０が伸長するため、内向全体長さＬＭ１と第１基準長さＬＭＸとが互いに等しくなる。
【００７７】
外向部分６０は、着用者が運動補助着１を着用していない状態、すなわち外向部分６０およびボトム１０が着用者の身体に合わせて伸長していない状態において、外向全体長さＬＮ１が第２基準長さＬＮＸよりも短くなるように構成されている。一方、着用者が運動補助着１を着用している状態においては、外向部分６０およびボトム１０が伸長するため、外向全体長さＬＮ１と第２基準長さＬＮＸとが互いに等しくなる。
【００７８】
運動補助着１においては、着用者が運動補助着１を着用したときに内向部分５０および外向部分６０に生じる張力が実質的に同じ大きさとなるように補助部４０が構成されている。
【００７９】
すなわち、補助部４０において以下の（構成Ａ）〜（構成Ｄ）が採用されている。
（構成Ａ）内向上部長さＬＭ２と外向上部長さＬＮ２とが略同じ大きさに設定されていること。
（構成Ｂ）交差部分４１が右半身または左半身の幅方向の中間かつ大腿正面の付け根の部分に対応して設けられていること。
（構成Ｃ）内向部分５０の内向始点部分５０Ｘと外向部分６０の外向始点部分６０Ｘとが高さ方向において略同じ位置に設けられていること。
（構成Ｄ）内向部分５０の内向終点部分５０Ｙと外向部分６０の外向終点部分６０Ｙとが高さ方向において略同じ位置に設けられていること。
【００８０】
図５を参照して、補助部４０の歩行補助機能について説明する。同図においては、右脚の動作にともない補助部４０から右脚に付与される力を示している。なお、左脚については、右脚の動作に準じた態様で補助部４０から力が付与されるため、左脚の動作の図示を省略している。
【００８１】
図５（ａ）に示されるように、着用者がつま先を揃えた立位の状態のとき、内向部分５０には、矢印ＡＮの方向に作用する張力、すなわち大腿の下部内側から大腿の上部外側に向かう張力が生じる。また外向部分６０には、矢印ＡＥの方向に作用する張力、すなわち大腿の下部外側から大腿の上部内側に向かう張力が生じる。
【００８２】
図５（ｂ）に示されるように、着用者が図５（ａ）の立位の姿勢から矢印ＰＷの方向に大腿を動かして一歩を踏み出すとき、すなわち右足裏の全体が地面に設置した状態から右足裏を地面から離すとき、大腰筋および大腿四頭筋の作用により大腿が上方かつ前方に向けて動かされる。
【００８３】
このとき、背面部分７０には内向部分５０の張力および外向部分６０の張力が付与されているため、大腿の上方への移動が背面部分７０の張力により補助される。すなわち大腿を上方かつ前方に上げる大腰筋および大腿四頭筋の動作が補助部４０により補助される。
【００８４】
補助部４０は、このような大腿の動作の補助に加えて大腿の鍛錬にも寄与する。
歩行周期の右脚の立脚期において、着用者が右足を体幹よりも前方から体幹よりも後方に移動させるとき、すなわち右足裏で地面を蹴りだすとき、ハムストリングスの作用により大腿が後方に向けて動かされる。
【００８５】
このとき、背面部分７０には内向部分５０の張力および外向部分６０の張力が付与されているため、大腿の後方への移動が背面部分７０の張力により妨げられる。すなわち、補助部４０の張力が大腿の動作に対する負荷として作用する。このため、後方に向かう大腿の動作にともないハムストリングスが鍛錬される。
【００８６】
（実施形態の効果）
本実施形態の運動補助着１によれば以下の効果が得られる。
（１）運動補助着１には、大腿の動作を補助する補助部４０が設けられている。また補助部４０には、内向部分５０、外向部分６０、および背面部分７０が設けられている。
【００８７】
この構成によれば、大腿を上げる動作が行なわれるとき、同動作が補助部４０により補助されるため、大腰筋および大腿四頭筋の負荷が軽減される。このため、大腿を上げる動作を容易に行なうことができる。
【００８８】
（２）運動補助着１においては、大腿の付け根と対応する部分に内向部分５０と外向部分６０とが交差する交差部分４１が設けられている。この構成によれば、交差部分４１が付け根から遠い部分に設けられる構成と比較して、背面部分７０を上方かつ前方に引き上げる力が大きくなるため、大腿を上げる方向の動作を補助する力が大きくなる。  
【００８９】
（３）運動補助着１においては、大腿背面に対応する背面部分７０を含めて補助部４０が構成されている。この構成によれば、大腿を後ろに振り上げるとき、補助部４０により大腿に負荷がかけられるため、ハムストリングスが鍛えられる。
【００９０】
（４）運動補助着１においては、交差部分４１に独立部分が形成されている。すなわち交差部分４１において、交差縁５５、交差縁６５、およびこれら交差縁５５，６５に囲まれる部分が基礎部２０から独立している。
【００９１】
この構成によれば、脚が前方かつ上方に向けて動かされるとき、交差部分４１が大腿正面の付け根から離れるため、交差部分４１により股関節の屈曲運動が阻害されることが抑制される。
【００９２】
（５）運動補助着１においては、内向部分５０に独立部分が形成されている。すなわち内向部分５０において、上側縁５１、下側縁５２、内縦縁５３、および外縦縁５４により囲まれる部分、内縦縁５３、および外縦縁５４が基礎部２０から独立している。
【００９３】
この構成によれば、内向部分５０に生じる張力が基礎部２０に分散することが抑制されるため、内向部分５０に独立部分が形成されていない構成と比較して、大腿を上げる方向の動作を補助する力が大きくなる。
【００９４】
（６）運動補助着１においては、外向部分６０に独立部分が形成されている。すなわち外向部分６０において、上側縁６１、下側縁６２、内縦縁６３、および外縦縁６４により囲まれる部分のうちの縫付部分６６を除く部分、縫付部分６６を除く内縦縁６３、および縫付部分６６を除く外縦縁６４が基礎部２０から独立している。
【００９５】
この構成によれば、外向部分６０に生じる張力が基礎部２０に分散することが抑制されるため、外向部分６０に独立部分が形成されていない構成と比較して、大腿を上げる方向の動作を補助する力が大きくなる。
【００９６】
（７）運動補助着１においては、背面部分７０の縁の全体が基礎部２０に接続されている。すなわち、上側縁７１、下側縁７２、内縦縁７３、および外縦縁７４が基礎部２０に縫い付けられている。
【００９７】
この構成によれば、背面部分７０が基礎部２０から独立している構成とは異なり、背面部分７０が基礎部２０からずれることに起因して、大腿を上げる方向の動作を補助する力が小さくなることが抑制される。また、着用者が運動補助着１を着用するにあたり、背面部分７０が足に引っ掛かることが抑制される。
【００９８】
（８）運動補助着１においては、内向部分５０の内向全体長さＬＭ１が基礎部２０の第１基準長さＬＭＸよりも小さく、かつ外向部分６０の外向全体長さＬＮ１が基礎部２０の第２基準長さＬＮＸよりも小さい。
【００９９】
この構成によれば、着用者が運動補助着１を着用したとき、内向部分５０および外向部分６０が基礎部２０よりも伸長するため、内向部分５０および外向部分６０に生じる張力がより大きくなる。
【０１００】
（９）運動補助着１においては、背面部分７０の背面中間部分７０Ａが膝の上部付近に対応して設けられている。
この構成によれば、大腿を上げる動作が行なわれるとき、膝の上部付近が背面中間部分７０Ａにより引き上げられるため、背面中間部分７０Ａが膝の上部付近よりもさらの上方の部分に対応している構成と比較して、大腿を上げる方向の動作を補助する効果が高くなる。
【０１０１】
（１０）運動補助着１においては、右半身および左半身の幅方向の中間かつ大腿正面の付け根の部分に対応して交差部分４１が設けられている。
この構成によれば、大腿に対して上方かつ外側に向けて作用する内向部分５０の張力と、大腿に対して上方かつ内側に向けて作用する外向部分６０の張力との間に大きな差が生じることが抑制される。このため、歩行時に大腿が内側または外側に振れにくくなる。
【０１０２】
（１１）運動補助着１においては、内向部分５０と外向部分６０とが交差部分４１において互いに縫い合わせられている。この構成によれば、内向部分５０と外向部分６０との相対的な位置が大きくずれることが抑制されるため、大腿を上げる方向の動作を補助する効果が安定して得られる。
【０１０３】
（１２）運動補助着１においては、着用者が着用したときに内向部分５０および外向部分６０に生じる張力が実質的に同じ大きさとなるように補助部４０が構成されている。
この構成によれば、着用者が運動補助着１を着用したときに内向部分５０から大腿に付与される力と外向部分６０から大腿に付与される力との差が過度に大きくなることが抑制される。このため、歩行時に大腿が内側または外側に振れにくくなる。
【０１０４】
（１３）運動補助着１においては、腹当部３０の表側の生地と裏側の生地との間に外向部分６０の一部分が設けられている。また、外向部分６０の縫付部分６６が基礎部２０の中間縁２６および腹当部３０の中間縁３４に縫い付けられている。この構成によれば、股関節を曲げたとき等に外向部分６０が基礎部２０から離れることにともない外向部分６０に大きなたわみが生じることが抑制される。
【０１０５】
（第２実施形態）
本実施形態の運動補助着１は、第１実施形態の運動補助着１の一部を変更したものとして構成されている。このため、以下では第１実施形態の運動補助着１と異なる点の詳細を説明し、同実施形態と共通する構成については同一の符号を付してその説明の一部または全部を省略する。
【０１０６】
第１実施形態では、補助部４０として内向部分５０および外向部分６０と背面部分７０とを含むものが設けられている。これに対して本実施形態の運動補助着１においては、内向部分５０および外向部分６０に代えて、図６に示される正面部分９０と背面部分７０とを含む補助部８０が設けられている。
【０１０７】
図６に示されるように、補助部８０には、大腿正面に対応する部分おいて上部から中間部分までにわたり直線状に延び、かつ中間部分で分岐する正面部分９０が設けられている。また、図２に示される大腿の背面に対応する部分において、膝裏の上付近の部分を外股から内股までにわたりまたぐ背面部分７０が設けられている。
【０１０８】
補助部８０は、正面部分９０および背面部分７０が互いにつなぎ合わせられた１本のベルト形状の部分として構成されている。また、右側の補助部８０と左側の補助部８０とは互いに独立して構成されている。
【０１０９】
正面部分９０には、共通部分９３、第１分岐部分９１、および第２分岐部分９２が設けられている。共通部分９３および第２分岐部分９２は、１枚の生地により構成されている。第１分岐部分９１は、共通部分９３および第２分岐部分９２とは別の１枚の生地により構成されている。共通部分９３の下端部の表側には第１分岐部分９１の上端部が重ね合わせられている。共通部分９３および第２分岐部分９２と第１分岐部分９１とが重ね合わせられた部分（以下、「交差部分８１」）は、大腿の幅方向の中間かつ大腿正面の中間部分に対応して設けられている。
【０１１０】
共通部分９３および第２分岐部分９２の縁について次のように定義する。
（ａ）共通部分９３の上部の縁を「上側縁９３Ａ」とする。
（ｂ）第２分岐部分９２の下部の縁を「下側縁９２Ａ」とする。
（ｃ）上側縁９３Ａと下側縁９２Ａとをつなぐ内側の縁を「内縦縁９３Ｂ」とする。
（ｄ）上側縁９３Ａと下側縁９２Ａとをつなぐ外側の縁を「外縦縁９３Ｃ」とする。
（ｅ）内縦縁９３Ｂのうちの交差部分８１と対応する部分を「交差縁９３Ｄ」とする。
（ｆ）外縦縁９３Ｃのうちの交差部分８１と対応する部分を「交差縁９３Ｄ」とする。
【０１１１】
第１分岐部分９１の縁について次のように定義する。
（ａ）第１分岐部分９１の上部の縁を「外縦縁９１Ａ」とする。
（ｂ）第１分岐部分９１の下部の縁を「内縦縁９１Ｂ」とする。
（ｃ）外縦縁９１Ａと内縦縁９１Ｂとをつなぐ内側の縁を「上側縁９１Ｃ」とする。
（ｄ）外縦縁９１Ａと内縦縁９１Ｂとをつなぐ外側の縁を「下側縁９１Ｄ」とする。
（ｅ）上側縁９１Ｃのうちの交差部分８１と対応する部分を「交差縁９１Ｅ」とする。
（ｆ）下側縁９１Ｄのうちの交差部分８１と対応する部分を「交差縁９１Ｅ」とする。
【０１１２】
共通部分９３および第２分岐部分９２においては、上側縁９３Ａ、下側縁９２Ａ、内縦縁９３Ｂ、および外縦縁９３Ｃにより囲まれる部分が基礎部２０に縫い付けられていない。すなわち、同部分が基礎部２０から独立している。また、内縦縁９３Ｂおよび外縦縁９３Ｃが基礎部２０から独立している。
【０１１３】
上側縁９３Ａは、基礎部２０およびウエスト部１１に縫い付けられている。下側縁９２Ａは、基礎部２０および背面部分７０に縫い付けられている。各交差縁９１Ｅは、第１分岐部分９１に縫い付けられている。
【０１１４】
第１分岐部分９１においては、外縦縁９１Ａ、内縦縁９１Ｂ、上側縁９１Ｃ、および下側縁９１Ｄにより囲まれる部分が基礎部２０に縫い付けられていない。すなわち、同部分が基礎部２０から独立している。また、外縦縁９１Ａ、上側縁９１Ｃ、および下側縁９１Ｄが基礎部２０から独立している。
【０１１５】
外縦縁９１Ａは、共通部分９３および第２分岐部分９２の外縦縁９３Ｃに縫い付けられている。内縦縁９１Ｂは、基礎部２０および背面部分７０に縫い付けられている。各交差縁９３Ｄは、共通部分９３および第２分岐部分９２に縫い付けられている。
【０１１６】
補助部８０の各部分すなわち、正面部分９０および背面部分７０は、強緊締力生地により構成されている。強緊締力生地としては、展開された状態において長手方向の伸縮性よりも短手方向の伸縮性が小さい帯状の生地が用いられている。
【０１１７】
補助部８０と身体の部位との対応について説明する。なお、図６においては、腹当部３０の表側の生地を省略した状態の運動補助着１を示している。また、二点鎖線は大腿の付け根に対応する部分を示している。
【０１１８】
補助部８０は、大腿正面および側面の各部分すなわち第１部分９０Ａ、第２部分９０Ｂ、第３部分９０Ｃ、第４部分９０Ｄ、第５部分９０Ｅ、および第６部分９０Ｆと、大腿背面の部分すなわち背面中間部分７０Ａとに対応して設けられている。
【０１１９】
上記各部分の内容を以下に示す。
（ａ）第１部分９０Ａは、下腹部正面の上部と対応する部分を示す。
（ｂ）第２部分９０Ｂは、大腿正面の付け根よりも上方の部分と対応する部分を示す。
（ｃ）第３部分９０Ｃは、大腿正面の付け根と対応する部分を示す。
（ｄ）第４部分９０Ｄは、大腿正面かつ高さ方向の中間部分に対応する部分を示す。
（ｅ）第５部分９０Ｅは、大腿下部の内側面と対応する部分を示す。
（ｆ）第６部分９０Ｆは、大腿下部の外側面と対応する部分を示す。
【０１２０】
補助部８０は次のように上記各部分に対応している。
共通部分９３は、第１部分９０Ａから第４部分９０Ｄまでにわたり、かつ第２部分９０Ｂおよび第３部分９０Ｃを通過して設けられている。第１分岐部分９１は、第４部分９０Ｄから第５部分９０Ｅまでにわたり設けられている。第２分岐部分９２は、第４部分９０Ｄから第６部分９０Ｆまでにわたり設けられている。
【０１２１】
背面部分７０は、第５部分９０Ｅから第６部分９０Ｆまでにわたり、かつ背面中間部分７０Ａを通過して設けられている。背面中間部分７０Ａの高さ方向の中心は、第５部分９０Ｅの高さ方向の中心、および第６部分９０Ｆの高さ方向の中心よりも下方に位置している。
【０１２２】
第５部分９０Ｅは、第１分岐部分９１の外縦縁９１Ａと背面部分７０の内縦縁７３との境界部分に対応している。また、第６部分９０Ｆは、第２分岐部分９２の下側縁９２Ａと背面部分７０の外縦縁７４との境界部分に対応している。
【０１２３】
以上のように補助部８０は、第１部分９０Ａから第４部分９０Ｄまでにわたり、かつこれら部分の間において、第２部分９０Ｂ、第３部分９０Ｃ、第４部分９０Ｄ、第６部分９０Ｆ、背面中間部分７０Ａ、および第５部分９０Ｅを順に通過する１本のベルト形状の部材として構成されている。
【０１２４】
なお、第２部分９０Ｂは「部分Ｄ」に相当する。また、第４部分９０Ｄは「部分Ｅ」に相当する。また、第５部分９０Ｅは「部分Ａ」に相当する。また、第６部分９０Ｆは「部分Ｃ」に相当する。
【０１２５】
運動補助着１の各部の長さについて説明する。
ここで、運動補助着１の各部分の長さを次のように定義する。
（ａ）第１分岐部分９１の第４部分９０Ｄから第５部分９０Ｅまでの長さを「第１分岐長さＬＡ１」とする。
（ｂ）第２分岐部分９２の第４部分９０Ｄから第６部分９０Ｆまでの長さを「第２分岐長さＬＡ２」とする。
（ｃ）共通部分９３の第１部分９０Ａから第４部分９０Ｄまでの長さを「共通長さＬＡ３」とする。
（ｄ）ボトム１０において第４部分９０Ｄから第５部分９０Ｅまでに対応する部分の長さを「第１基準長さＬＸ１」とする。
（ｅ）ボトム１０において第４部分９０Ｄから第６部分９０Ｆまでに対応する部分の長さを「第２基準長さＬＸ２」とする。
（ｆ）ボトム１０において第１部分９０Ａから第４部分９０Ｄまでに対応する部分の長さを「第３基準長さＬＸ３」とする。
【０１２６】
第１分岐部分９１は、着用者が運動補助着１を着用していない状態、すなわち第１分岐部分９１およびボトム１０が着用者の身体に合わせて伸長していない状態において、第１分岐長さＬＡ１が第１基準長さＬＸ１よりも短くなるように構成されている。一方、着用者が運動補助着１を着用している状態においては、第１分岐部分９１およびボトム１０が伸長するため、第１分岐長さＬＡ１と第１基準長さＬＸ１とが互いに等しくなる。
【０１２７】
第２分岐部分９２は、着用者が運動補助着１を着用していない状態、すなわち第２分岐部分９２およびボトム１０が着用者の身体に合わせて伸長していない状態において、第２分岐長さＬＡ２が第２基準長さＬＸ２よりも短くなるように構成されている。一方、着用者が運動補助着１を着用している状態においては、第２分岐部分９２およびボトム１０が伸長するため、第２分岐長さＬＡ２と第２基準長さＬＸ２とが互いに等しくなる。
【０１２８】
共通部分９３は、着用者が運動補助着１を着用していない状態、すなわち共通部分９３およびボトム１０が着用者の身体に合わせて伸長していない状態において、共通長さＬＡ３が第３基準長さＬＸ３よりも短くなるように構成されている。一方、着用者が運動補助着１を着用している状態においては、共通部分９３およびボトム１０が伸長するため、共通長さＬＡ３と第３基準長さＬＸ３とが互いに等しくなる。
【０１２９】
運動補助着１においては、着用者が運動補助着１を着用したときに第１分岐部分９１および第２分岐部分９２に生じる張力が実質的に同じ大きさとなるように補助部８０が構成されている。
【０１３０】
すなわち、補助部８０において以下の（構成Ａ）〜（構成Ｃ）が採用されている。
（構成Ａ）第１分岐長さＬＡ１と第２分岐長さＬＡ２とが略同じ大きさに設定されていること。
（構成Ｂ）交差部分８１が大腿の幅方向の中間に対応して設けられていること。
（構成Ｃ）第１分岐部分９１の第５部分９０Ｅと第２分岐部分９２の第６部分９０Ｆとが高さ方向において略同じ位置に設けられていること。
【０１３１】
補助部８０の歩行補助機能について説明する。
着用者がつま先を揃えた立位の状態のとき、第１分岐部分９１には、大腿の下部内側から大腿の中間部分に向かう張力が生じる。また第２分岐部分９２には、大腿の下部外側から大腿の中間部分に向かう張力が生じる。また共通部分９３には、大腿の中間部分から大腿の上部に向かう張力が生じる。
【０１３２】
着用者が立位の姿勢から大腿を動かして一歩を踏み出すとき、すなわち右足裏の全体が地面に設置した状態から右足裏を地面から離すとき、大腰筋および大腿四頭筋の作用により大腿が上方かつ前方に向けて動かされる。
【０１３３】
このとき、背面部分７０には第１分岐部分９１の張力および第２分岐部分９２の張力が付与されているため、大腿の下方への移動が背面部分７０の張力により妨げられる。すなわち、大腿を上方かつ前方に上げる大腰筋および大腿四頭筋の動作が補助部８０により補助される。
【０１３４】
補助部８０は、このような大腿の動作の補助に加えて大腿の鍛錬にも寄与する。
歩行周期の右脚の立脚期において、着用者が右足を体幹よりも前方から体幹よりも後方に移動させるとき、すなわち右足裏で地面を蹴りだすとき、ハムストリングスの作用により大腿が後方に向けて動かされる。
【０１３５】
このとき、背面部分７０には第１分岐部分９１の張力および第２分岐部分９２の張力が付与されているため、大腿の後方への移動が背面部分７０の張力により妨げられる。すなわち、補助部８０の張力が大腿の動作に対する負荷として作用する。このため、後方に向かう大腿の動作にともないハムストリングスが鍛錬される。
【０１３６】
（実施形態の効果）
本実施形態の運動補助着１によれば以下の効果、ならびに第１実施形態の（７）および（９）の効果が得られる。
【０１３７】
（１）運動補助着１には、大腿の動作を補助する補助部８０が設けられている。また補助部８０には、正面部分９０および背面部分７０が設けられている。この構成によれば、大腿を上げる動作が行なわれるとき、同動作が補助部８０により補助されるため、大腰筋および大腿四頭筋の負荷が軽減される。このため、大腿を上げる動作を容易に行なうことができる。
【０１３８】
（２）運動補助着１においては、大腿背面に対応する背面部分７０を含めて補助部８０が構成されている。この構成によれば、大腿を後ろに振り上げるとき、補助部８０により大腿に負荷がかけられるため、ハムストリングスが鍛えられる。
【０１３９】
（３）運動補助着１においては、正面部分９０に独立部分が形成されている。この構成によれば、正面部分９０に生じる張力が基礎部２０に分散することが抑制されるため、正面部分９０に独立部分が形成されていない構成と比較して、大腿を上げる方向の動作を補助する力が大きくなる。また、大腿の付け根が正面部分９０により押さえ付けられることに起因して、股関節の屈曲運動が阻害されることが抑制される。
【０１４０】
（４）運動補助着１においては、交差部分８１に独立部分が形成されている。この構成によれば、交差部分８１に生じる張力が基礎部２０に分散することが抑制されるため、交差部分８１に独立部分が形成されていない構成と比較して、大腿を上げる方向の動作を補助する力が大きくなる。
【０１４１】
（５）運動補助着１においては、第１分岐部分９１の第１分岐長さＬＡ１が基礎部２０の第１基準長さＬＸ１よりも小さく、かつ第２分岐部分９２の第２分岐長さＬＡ２が基礎部２０の第２基準長さＬＸ２よりも小さく、かつ共通部分９３の共通長さＬＡ３が基礎部２０の第３基準長さＬＸ３よりも小さい。
【０１４２】
この構成によれば、着用者が運動補助着１を着用したとき、第１分岐部分９１、第２分岐部分９２、および共通部分９３が基礎部２０よりも伸長するため、第１分岐部分９１、第２分岐部分９２、および共通部分９３に生じる張力がより大きくなる。
【０１４３】
（６）運動補助着１においては、大腿の幅方向の中間に対応して交差部分８１が設けられている。この構成によれば、大腿に対して上方かつ外側に向けて作用する第１分岐部分９１の張力と、大腿に対して上方かつ内側に向けて作用する第２分岐部分９２の張力との間に大きな差が生じることが抑制される。このため、歩行時に大腿が内側または外側に振れにくくなる。
【０１４４】
（７）運動補助着１においては、第１分岐部分９１と第２分岐部分９２とが交差部分８１において互いに縫い合わせられている。この構成によれば、第１分岐部分９１と第２分岐部分９２との相対的な位置が大きくずれることが抑制されるため、大腿を上げる方向の動作を補助する効果が安定して得られる。
【０１４５】
（その他の実施形態）
本発明の実施態様は第１および第２実施形態に限られるものではなく、例えば以下に示すように変更することもできる。また以下の各変形例は、上記実施形態についてのみ適用されるものではなく、異なる変形例同士を互いに組み合わせて実施することもできる。
【０１４６】
・第１実施形態（図１）では、内向部分５０の内縦縁５３の全体が基礎部２０から独立しているが、内縦縁５３の少なくとも一部が基礎部２０に縫い付けられた構成に変更することもできる。
【０１４７】
・第１実施形態（図１）では、内向部分５０の外縦縁５４の全体が基礎部２０から独立しているが、外縦縁５４の少なくとも一部が基礎部２０に縫い付けられた構成に変更することもできる。
【０１４８】
・第１実施形態（図１）では、外向部分６０の縫付部分６６を除く内縦縁６３の全体が基礎部２０から独立しているが、内縦縁６３のその他の部分の少なくとも一部が基礎部２０に縫い付けられた構成に変更することもできる。
【０１４９】
・第１実施形態（図１）では、外向部分６０の縫付部分６６を除く外縦縁６４の全体が基礎部２０から独立しているが、外縦縁６４のその他の部分の少なくとも一部が基礎部２０に縫い付けられた構成に変更することもできる。
【０１５０】
・第１実施形態（図１）では、外向部分６０の内縦縁６３において縫付部分６６が基礎部２０に縫い付けられているが、縫付部分６６が基礎部２０から独立した構成、すなわち内縦縁６３の全体が基礎部２０から独立した構成に変更することもできる。
【０１５１】
・第１実施形態（図１）では、外向部分６０の外縦縁６４において縫付部分６６が基礎部２０に縫い付けられているが、縫付部分６６が基礎部２０から独立した構成、すなわち外縦縁６４の全体が基礎部２０から独立した構成に変更することもできる。
【０１５２】
・第１実施形態（図１）では、交差部分４１において内向部分５０と外向部分６０とを互いに縫い合わせているが、この縫い合わせを省略し、交差部分４１において内向部分５０と外向部分６０とが互いに独立した構成に変更することもできる。
【０１５３】
・第１実施形態（図１）では、内向全体長さＬＭ１を第１基準長さＬＭＸよりも小さくしているが、内向全体長さＬＭ１を第１基準長さＬＭＸと同じ大きさにすること、または内向全体長さＬＭ１を第１基準長さＬＭＸよりも大きくすることもできる。
【０１５４】
・第１実施形態（図１）では、外向全体長さＬＮ１を第２基準長さＬＮＸよりも小さくしているが、外向全体長さＬＮ１を第２基準長さＬＮＸと同じ大きさにすること、または外向全体長さＬＮ１を第２基準長さＬＮＸよりも大きくすることもできる。
【０１５５】
・第１実施形態（図１）では、着用者が運動補助着１を着用したときに内向部分５０および外向部分６０に生じる張力が実質的に同じ大きさとなるように補助部４０が構成されているが、補助部４０の構成を次のように変更することもできる。
（Ａ）着用時の内向部分５０の張力を外向部分６０の張力よりも大きくする。
（Ｂ）着用時の外向部分６０の張力を内向部分５０の張力よりも大きくする。
【０１５６】
上記の（Ａ）および（Ｂ）のいずれの構成においても、内向部分５０の張力と外向部分６０の張力との差が所定範囲内に収められるように補助部４０を構成することにより、歩行時に大腿が内側または外側に振れることを抑制する効果が得られる。
【０１５７】
・第１実施形態（図１）では、内向部分５０の上側縁５１について幅方向の位置が下腹部の側面と対応する部分に設定されているが、上側縁５１を大腿背面と対応する部分に設けること、または上側縁５１を大腿正面と対応する部分に設けることもできる。
【０１５８】
・第１実施形態（図１）では、内向部分５０の上側縁５１について高さ方向の位置がウエストよりも下方と対応する部分に設定されているが、内向部分５０の上側縁５１の形成位置を次のように変更することもできる。
（Ａ）上側縁５１をウエストと対応する部分に設ける。なお、この場合の構成の一例としては、例えば外向部分６０の上側縁６１に準じた態様で内向部分５０の上側縁５１をウエスト部１１に縫い付ける構成が挙げられる。
（Ｂ）上側縁５１をウエストよりも上方に設ける。なお、この場合にはボトム１０の上縁がウエストよりも上方に設けられる。
【０１５９】
・第１実施形態（図１）では、外向部分６０の上側縁６１について高さ方向の位置がウエストと対応する部分に設定されているが、外向部分６０の上側縁６１の形成位置を次のように変更することもできる。
（Ａ）上側縁６１をウエストよりも下方かつ大腿の付け根よりも上方と対応する部分に設ける。
（Ｂ）上側縁６１をウエストよりも上方に設ける。なお、この場合にはボトム１０の上縁がウエストよりも上方に設けられる。
【０１６０】
・第１実施形態（図１）では、大腿の幅方向の中間かつ大腿正面の付け根の部分に対応して交差部分４１が設けられているが、交差部分４１の形成位置を次のように変更することもできる。
（Ａ）幅方向の形成位置を右半身または左半身の幅方向の中間部分よりも内側にする。
（Ｂ）幅方向の形成位置を右半身または左半身の幅方向の中間部分よりも外側にする。
（Ｃ）高さ方向の形成位置を下腹部正面と対応する部分にする。
（Ｄ）高さ方向の形成位置を大腿上部の正面と対応する部分にする。
（Ｅ）高さ方向の形成位置を大腿下部の正面と対応する部分にする。
【０１６１】
・第１実施形態（図１）では、補助部４０に交差部分４１が設けられているが、内向部分５０および外向部分６０が交差しないように補助部４０を構成することもできる。すなわち、補助部４０の構成を次のように変更することもできる。
（Ａ）内向部分５０の内向始点部分５０Ｘを外向部分６０の外向始点部分６０Ｘよりも幅方向の内側に設ける。
（Ｂ）内向部分５０の内向始点部分５０Ｘと外向部分６０の外向始点部分６０Ｘとを互いに重ね合わせる。
【０１６２】
・第１実施形態（図１）では、補助部４０として内向部分５０および外向部分６０がそれぞれ別の強緊締力生地により構成されたものが設けられているが、補助部４０の構成を次のように変更することもできる。すなわち、同実施形態の内向部分５０および外向部分６０の形状に対応した１枚のＸ字形状の強緊締力生地と背面部分７０とを互いに縫い合わせて補助部を構成することもできる。
【０１６３】
・第１実施形態（図１）では、補助部４０を強緊締力生地により構成しているが、補助部４０を基礎部２０と同じ種類の生地により構成することもできる。この変形例の運動補助着１においては、第１実施形態の運動補助着１と同様、内向部分５０の内向全体長さＬＭ１が基礎部２０の第１基準長さＬＭＸよりも小さく、かつ外向部分６０の外向全体長さＬＮ１が基礎部２０の第２基準長さＬＮＸよりも小さい。このため、着用者が運動補助着１を着用したとき、内向部分５０および外向部分６０が基礎部２０よりも伸長する。これにより、背面部分７０には内向部分５０の張力および外向部分６０の張力が付与されるため、大腿の下方への移動が背面部分７０の張力により妨げられる。すなわち、大腿を上方かつ前方に上げる大腰筋および大腿四頭筋の動作が補助部４０により補助される。
【０１６４】
・第２実施形態（図６）では、共通部分９３の内縦縁９３Ｂおよび外縦縁９３Ｃの全体が基礎部２０から独立しているが、内縦縁９３Ｂおよび外縦縁９３Ｃの一部分を基礎部２０に縫い付けることもできる。なお、共通部分９３の一部分としては、例えば第３部分９０Ｃよりも上方の部分の全体、または第３部分９０Ｃよりも上方の部分の一部分を採用することができる。
【０１６５】
・第２実施形態（図６）では、第１分岐長さＬＡ１を第１基準長さＬＸ１よりも小さくしているが、第１分岐長さＬＡ１を第１基準長さＬＸ１と同じ大きさにすること、または第１分岐長さＬＡ１を第１基準長さＬＸ１よりも大きくすることもできる。
【０１６６】
・第２実施形態（図６）では、第２分岐長さＬＡ２を第２基準長さＬＸ２よりも小さくしているが、第２分岐長さＬＡ２を第２基準長さＬＸ２と同じ大きさにすること、または第２分岐長さＬＡ２を第２基準長さＬＸ２よりも大きくすることもできる。
【０１６７】
・第２実施形態（図６）では、共通長さＬＡ３を第３基準長さＬＸ３よりも小さくしているが、共通長さＬＡ３を第３基準長さＬＸ３と同じ大きさにすること、または共通長さＬＡ３を第３基準長さＬＸ３よりも大きくすることもできる。
【０１６８】
・第２実施形態（図６）では、着用者が運動補助着１を着用したときに第１分岐部分９１および第２分岐部分９２に生じる張力が実質的に同じ大きさとなるように補助部８０が構成されているが、補助部８０の構成を次のように変更することもできる。
（Ａ）着用時の第１分岐部分９１の張力を第２分岐部分９２の張力よりも大きくする。
（Ｂ）着用時の第２分岐部分９２の張力を第１分岐部分９１の張力よりも大きくする。
【０１６９】
上記の（Ａ）および（Ｂ）のいずれの構成においても、第１分岐部分９１の張力と第２分岐部分９２の張力との差が所定範囲内に収められるように補助部８０を構成することにより、歩行時に大腿が内側または外側に振れることを抑制する効果が得られる。
【０１７０】
・第２実施形態（図６）では、共通部分９３の上側縁９３Ａについて高さ方向の位置がウエストと対応する部分に設定されているが、共通部分９３の上側縁９３Ａの形成位置を次のように変更することもできる。
（Ａ）上側縁９３Ａをウエストよりも下方かつ大腿の付け根よりも上方と対応する部分に設ける。
（Ｂ）上側縁９３Ａをウエストよりも上方に設ける。なお、この場合にはボトム１０の上縁がウエストよりも上方に設けられる。
【０１７１】
・第２実施形態（図６）では、大腿の幅方向の中間かつ大腿正面の下部に対応して交差部分８１が設けられているが、交差部分８１の形成位置を次のように変更することもできる。
（Ａ）幅方向の形成位置を右半身または左半身の幅方向の中間部分よりも内側にする。
（Ｂ）幅方向の形成位置を右半身または左半身の幅方向の中間部分よりも外側にする。
（Ｃ）高さ方向の形成位置を大腿正面の付け根と対応する部分にする。
（Ｄ）高さ方向の形成位置を大腿上部の正面と対応する部分にする。
（Ｅ）高さ方向の形成位置を大腿下部の正面と対応する部分にする。
【０１７２】
・第２実施形態（図６）では、補助部８０として共通部分９３および第２分岐部分９２と第１分岐部分９１とがそれぞれ別の強緊締力生地により構成されたものが設けられているが、補助部８０の構成を次のように変更することもできる。すなわち、同実施形態の正面部分９０の形状に対応した１枚のＹ字形状の強緊締力生地と背面部分７０とを互いに縫い合わせて補助部を構成することもできる。
【０１７３】
・第２実施形態（図６）では、正面部分９０の共通部分９３および第２分岐部分９２が１枚の生地により構成されているが、共通部分９３および第１分岐部分９１をそれぞれ別の生地により構成することもできる。この場合には、共通部分９３の下側縁に第１分岐部分９１の上側縁および第２分岐部分９２の上側縁のそれぞれが縫い付けられる。
【０１７４】
・第２実施形態（図６）では、補助部８０を強緊締力生地により構成しているが、補助部８０を基礎部２０と同じ種類の生地により構成することもできる。この変形例の運動補助着１においては、第２実施形態の運動補助着１と同様、第１分岐部分９１の第１分岐長さＬＡ１が基礎部２０の第１基準長さＬＸ１よりも小さく、かつ第２分岐部分９２の第２分岐長さＬＡ２が基礎部２０の第２基準長さＬＸ２よりも小さく、かつ共通部分９３の共通長さＬＡ３が基礎部２０の第３基準長さＬＸ３よりも小さい。このため、着用者が運動補助着１を着用したとき、第１分岐部分９１、第２分岐部分９２、および共通部分９３が基礎部２０よりも伸長する。これにより、背面部分７０には第１分岐部分９１の張力および第２分岐部分９２の張力が付与されるため、大腿の下方への移動が背面部分７０の張力により妨げられる。すなわち、大腿を上方かつ前方に上げる大腰筋および大腿四頭筋の動作が補助部８０により補助される。
【０１７５】
・第１および第２実施形態（図２）では、大腿背面の膝上付近と対応する背面中間部分７０Ａを通過するように背面部分７０を構成しているが、背面部分７０の構成を次のように変更することもできる。なお、この場合には、内向部分５０の下側縁５２および外向部分６０の下側縁６２の位置、または第１分岐部分９１の内縦縁９１Ｂおよび第２分岐部分９２の下側縁９２Ａの位置が背面部分７０の位置に応じて上方または下方に変更される。
（Ａ）大腿背面において膝と対応する部分を通過するように背面部分７０を構成する。
（Ｂ）大腿背面において上記実施形態の背面中間部分７０Ａと大腿付け根との間に対応する部分を通過するように背面部分７０を構成する。
【０１７６】
・第１および第２実施形態（図２）では、背面部分７０の縁の全体が基礎部２０に縫い付けられているが、背面部分７０の縁の少なくとも一部が基礎部２０から独立した構成に変更することもできる。
【０１７７】
・第１および第２実施形態（図２）では、背面部２２の裏側に背面部分７０が設けられているが、背面部２２の表側に背面部分７０が設けられた構成に変更することもできる。
・第１および第２実施形態（図１および図６）では、ボトム１０に腹当部３０が設けられているが、ボトム１０から腹当部３０が省略された構成に変更することもできる。
【０１７８】
・第１および第２実施形態（図１および図６）では、腹当部３０が２枚の生地により構成されているが、１枚の生地により構成される腹当部３０を用いることもできる。
・第１および第２実施形態（図１および図６）では、補助部４０または補助部８０の素材として強緊締力生地が用いられているが、パワー生地、ゴム、または紐を補助部４０または補助部８０の素材として用いることもできる。
【０１７９】
・第１および第２実施形態（図１および図６）では、ボトム１０に補助部４０または補助部８０が縫い付けられる構成を用いているが、すなわちボトム１０単独で大腿が覆われるように運動補助着１を構成しているが、補助部４０または補助部８０をボトム１０の一部として用いることもできる。すなわち、第１または第２実施形態の基礎部２０に代わる基礎部として、基礎部２０から補助部４０または補助部８０に対応する部分が省略された形状のものを用いる。そして、この基礎部の縁と補助部４０または補助部８０の縁とを互いに縫い合わせることにより運動補助着１を構成する。この場合、補助部４０または補助部８０には、その縁の少なくとも一部が基礎部から独立した独立部分が設けられる。
【０１８０】
・第１および第２実施形態（図１および図６）においては、下着としての運動補助着１に対して本発明を適用した構成を例示しているが、スポーツ用の被服および日常着に本発明を適用することもできる。
【符号の説明】
【０１８１】
１…運動補助着、１０…ボトム、１１…ウエスト部、１２…股布、２０…基礎部、２１…正面部、２２…背面部、２３…上側縁、２４…内側縁、２５…外側縁、２６…中間縁、３０…腹当部、３１…上側縁、３２…下側縁、３３…外縦縁、３４…中間縁、４０…補助部、４１…交差部分、５０…内向部分、５０Ｘ…内向始点部分、５０Ｙ…内向終点部分、５０Ａ…内向第１部分、５０Ｂ…内向第２部分、５０Ｃ…内向第３部分、５１…上側縁、５２…下側縁、５３…内縦縁、５４…外縦縁、５５…交差縁、６０…外向部分、６０Ｘ…外向始点部分、６０Ｙ…外向終点部分、６０Ａ…外向第１部分、６０Ｂ…外向第２部分、６０Ｃ…外向第３部分、６１…上側縁、６２…下側縁、６３…内縦縁、６４…外縦縁、６５…交差縁、６６…縫付部分、７０…背面部分、７０Ａ…背面中間部分、７１…上側縁、７２…下側縁、７３…内縦縁、７４…外縦縁、８０…補助部、８１…交差部分、９０…正面部分、９０Ａ…第１部分、９０Ｂ…第２部分、９０Ｃ…第３部分、９０Ｄ…第４部分、９０Ｅ…第５部分、９０Ｆ…第６部分、９１…第１分岐部分、９１Ａ…外縦縁、９１Ｂ…内縦縁、９１Ｃ…上側縁、９１Ｄ…下側縁、９１Ｅ…交差縁、９２…第２分岐部分、９２Ａ…下側縁、９３…共通部分、９３Ａ…上側縁、９３Ｂ…内縦縁、９３Ｃ…外縦縁、９３Ｄ…交差縁。
【図１】
2012214936.tif 000003
【図２】
2012214936.tif 000004
【図３】
2012214936.tif 000005
【図４】
2012214936.tif 000006
【図５】
2012214936.tif 000007
【図６】
2012214936.tif 000008
【手続補正書】
【提出日】平成23年9月12日(2011.9.12)
【手続補正１】
【補正対象書類名】特許請求の範囲
【補正対象項目名】請求項１
【補正方法】変更
【補正の内容】
【請求項１】
ボトムとして構成される歩行を補助する運動補助着において、
大腿の動作を補助する補助部が設けられていること、
この補助部が前記ボトムの基礎部に取り付けられていること、
前記補助部に背面部分および正面部分が設けられていること、
前記背面部分が部分Ａと部分Ｃとを互いに接続していること、
前記背面部分が前記Ａと前記部分Ｃとの間において部分Ｂを通過していること、
前記正面部分が部分Ｄと前記部分Ａおよび前記部分Ｃとを互いに接続していること、
前記部分Ａ〜前記部分Ｄがそれぞれ以下の（ａ）〜（ｄ）により規定されること、
（ａ）前記部分Ａは、大腿下部の内側に対応する部分
（ｂ）前記部分Ｂは、大腿背面かつ大腿下部に対応する部分
（ｃ）前記部分Ｃは、大腿下部の外側に対応する部分
（ｄ）前記部分Ｄは、大腿正面の付け根よりも上方に対応する部分
ならびに、前記補助部のうちの前記基礎部に接続されていない部分であり、前記基礎部から独立している部分を独立部分として、前記正面部分の少なくとも一部にこの独立部分が形成されていること
を特徴とする歩行を補助する運動補助着。
【手続補正２】
【補正対象書類名】特許請求の範囲
【補正対象項目名】請求項４
【補正方法】変更
【補正の内容】
【請求項４】
請求項３に記載の歩行を補助する運動補助着において、
前記交差部分に前記独立部分が形成されていること
を特徴とする歩行を補助する運動補助着。
【手続補正３】
【補正対象書類名】特許請求の範囲
【補正対象項目名】請求項５
【補正方法】変更
【補正の内容】
【請求項５】
請求項３または４に記載の歩行を補助する運動補助着において、
前記内向部分の少なくとも一部に前記独立部分が形成されていること
を特徴とする歩行を補助する運動補助着。
【手続補正４】
【補正対象書類名】特許請求の範囲
【補正対象項目名】請求項６
【補正方法】変更
【補正の内容】
【請求項６】
請求項３〜５のいずれか一項に記載の歩行を補助する運動補助着において、
前記外向部分の少なくとも一部に前記独立部分が形成されていること
を特徴とする歩行を補助する運動補助着。
【手続補正５】
【補正対象書類名】明細書
【補正対象項目名】０００７
【補正方法】変更
【補正の内容】
【０００７】
上記目的を達成するための手段を以下に記載する。
（１）請求項１に記載の発明は、ボトムとして構成される歩行を補助する運動補助着において、大腿の動作を補助する補助部が設けられていること、この補助部が前記ボトムの基礎部に取り付けられていること、前記補助部に背面部分および正面部分が設けられていること、前記背面部分が部分Ａと部分Ｃとを互いに接続していること、前記背面部分が前記Ａと前記部分Ｃとの間において部分Ｂを通過していること、前記正面部分が部分Ｄと前記部分Ａおよび前記部分Ｃとを互いに接続していること、前記部分Ａ〜前記部分Ｄがそれぞれ以下の（ａ）〜（ｄ）により規定されること、
（ａ）前記部分Ａは、大腿下部の内側に対応する部分
（ｂ）前記部分Ｂは、大腿背面かつ大腿下部に対応する部分
（ｃ）前記部分Ｃは、大腿下部の外側に対応する部分
（ｄ）前記部分Ｄは、大腿正面の付け根よりも上方に対応する部分
ならびに、前記補助部のうちの前記基礎部に接続されていない部分であり、前記基礎部から独立している部分を独立部分として、前記正面部分の少なくとも一部にこの独立部分が形成されていることを要旨としている。
【手続補正６】
【補正対象書類名】明細書
【補正対象項目名】００１１
【補正方法】変更
【補正の内容】
【００１１】
（４）請求項４に記載の発明は、請求項３に記載の歩行を補助する運動補助着において、前記交差部分に前記独立部分が形成されていることを要旨としている。
【手続補正７】
【補正対象書類名】明細書
【補正対象項目名】００１３
【補正方法】変更
【補正の内容】
【００１３】
（５）請求項５に記載の発明は、請求項３または４に記載の歩行を補助する運動補助着において、前記内向部分の少なくとも一部に前記独立部分が形成されていることを要旨としている。
【手続補正８】
【補正対象書類名】明細書
【補正対象項目名】００１５
【補正方法】変更
【補正の内容】
【００１５】
（６）請求項６に記載の発明は、請求項３〜５のいずれか一項に記載の歩行を補助する運動補助着において、前記外向部分の少なくとも一部に前記独立部分が形成されていることを要旨としている。